(57)【要約】【課題】空気調和機が備える人感センサを防犯にも役立て、設置コストを低減できる防犯システムを提供する。【解決手段】空気調和機１は人感センサ１１を備えており、人感センサ１１を利用する防犯モードに設定可能である。防犯モード設定中の空気調和機１は、人感センサ１１によって人の存在を検知した場合に警告メッセージを発し、警告メッセージを発してから所定時間内に認証部２２から所定のユーザ認証入力がなされなかった場合に不審者の侵入と見なす。防犯モード中に不審者の侵入が検知された場合には、空気調和機１は、通信部２３を介して予め設定された所定の連絡先（ユーザ、警察、警備会社など）に不審者の侵入を通知するメールを送信する。【選択図】図１
2019143822.tif 000002
【特許請求の範囲】
【請求項１】
人感センサを備えた空気調和機であって、
人感センサによって人の存在を検知した場合に警告メッセージを発し、前記警告メッセージを発した後に所定のユーザ認証入力がなされなかった場合に、不審者の侵入と見なす防犯モードを有しており、
前記防犯モード中に不審者の侵入を検知した場合に、予め設定された所定の連絡先に不審者の侵入を通知することを特徴とする空気調和機。
【請求項２】
請求項１に記載の空気調和機であって、
前記防犯モード中に不審者の侵入を検知した場合、室内温度が閾値以上であれば暖房運転を行い、室内温度が前記閾値未満であれば冷房運転を行う防犯モード運転を実施することを特徴とする空気調和機。
【請求項３】
請求項２に記載の空気調和機であって、
前記防犯モード運転では、前記人感センサによって不審者の位置を検知して、その検知結果に基づいて空気吹出口におけるルーバの向きを制御し、不審者に温風もしくは冷風が直接当たるように風向制御を行うことを特徴とする空気調和機。
【請求項４】
請求項２または３に記載の空気調和機であって、
前記防犯モード運転は、前記人感センサによって不審者の存在が検知されなくなった時点で終了することを特徴とする空気調和機。
【請求項５】
請求項１から４の何れか１項に記載の空気調和機と、それ以外の他の電化製品とがネットワーク接続されており、
前記空気調和機が前記防犯モード中に不審者の侵入を検知した場合に、前記他の電化製品を使用した防犯対策を実施することを特徴とする防犯システム。
【発明の詳細な説明】
【技術分野】
【０００１】
本発明は、空気調和機およびこれを用いた防犯システムに関する。
【背景技術】
【０００２】
従来の防犯システムは、室内に防犯カメラや防犯用センサを設置し、これらのカメラやセンサによって不審者の侵入を検知した場合に、警告音を発動したり、メールによって利用者や警備会社に不審者の侵入を通知したりしている（特許文献１）。
【先行技術文献】
【特許文献】
【０００３】
【特許文献１】特開２０１０−２５２３８８号公報
【発明の概要】
【発明が解決しようとする課題】
【０００４】
従来の防犯システムは、防犯専用のカメラやセンサを設置していたため、設置コストが高くなるといった問題がある。
【０００５】
一方、近年の空気調和機には、室内における人の存在を人感センサにて検知し、人のいる場所で最適な環境となるように運転制御を行うものがある。しかしながら、人感センサを備える空気調和機において、この人感センサを防犯に役立てるものは無かった。
【０００６】
本発明は、上記課題に鑑みてなされたものであり、空気調和機が備える人感センサを防犯にも役立て、設置コストを低減できる防犯システムを提供することを目的とする。
【課題を解決するための手段】
【０００７】
上記の課題を解決するために、本発明の第１の態様である空気調和機は、人感センサを備えた空気調和機であって、人感センサによって人の存在を検知した場合に警告メッセージを発し、前記警告メッセージを発した後に所定のユーザ認証入力がなされなかった場合に、不審者の侵入と見なす防犯モードを有しており、前記防犯モード中に不審者の侵入を検知した場合に、予め設定された所定の連絡先に不審者の侵入を通知することを特徴としている。
【０００８】
上記の構成によれば、空気調和機が備える人感センサを、防犯モード設定時において不審者の侵入検知に用いることができる。これにより、不審者の侵入検知用に専用のカメラやセンサを備える必要が無く、設置コストの小さい防犯システムを提供することができる。
【０００９】
また、上記空気調和機は、前記防犯モード中に不審者の侵入を検知した場合、室内温度が閾値以上であれば暖房運転を行い、室内温度が前記閾値未満であれば冷房運転を行う防犯モード運転を実施する構成とすることができる。
【００１０】
上記の構成によれば、防犯モード運転を実施することによって室内環境を劣悪なものとし（温暖時にはより温暖とし、寒冷時にはより寒冷として）不審者が室内にとどまることを困難にする。これにより、不審者による犯行を未然に防止することが期待できる。
【００１１】
また、上記空気調和機は、前記防犯モード運転では、前記人感センサによって不審者の位置を検知して、その検知結果に基づいて空気吹出口におけるルーバの向きを制御し、不審者に温風もしくは冷風が直接当たるように風向制御を行う構成とすることができる。
【００１２】
上記の構成によれば、防犯モード運転の実施時において、不審者により劣悪な環境を与えることとなり、不審者が室内にとどまることをさらに困難にすることができる。
【００１３】
また、上記空気調和機では、前記防犯モード運転は、前記人感センサによって不審者の存在が検知されなくなった時点で終了する構成とすることができる。
【００１４】
上記の構成によれば、不審者が室内から立ち去った後は防犯モード運転を終了することで、不要な電力消費を回避することができる。
【００１５】
また、上記の課題を解決するために、本発明の第２の態様である防犯システムは、前記記載の空気調和機と、それ以外の他の電化製品とがネットワーク接続されており、前記空気調和機が前記防犯モード中に不審者の侵入を検知した場合に、前記他の電化製品を使用した防犯対策を実施することを特徴としている。
【００１６】
上記の構成によれば、空気調和機が防犯モード中に不審者の侵入を検知した場合に、他の電化製品をも使用したより効果的な防犯対策（空気調和機の基本機能では実現できないような防犯対策であり、例えば、扉や窓の自動ロックによる不審者の閉じ込め）を実施することができる。
【発明の効果】
【００１７】
本発明の空気調和機およびこれを用いた防犯システムは、空気調和機が備える人感センサを、防犯モード設定時において不審者の侵入検知に用いることができる。これにより、不審者の侵入検知用に専用のカメラやセンサを備える必要が無く、設置コストの小さい防犯システムを提供することができるといった効果を奏する。
【図面の簡単な説明】
【００１８】
【図１】実施の形態１に係る空気調和機の概略構成を示すブロック図である。
【図２】防犯モード設定中の空気調和機の動作を示すフローチャートである。
【図３】実施の形態２における防犯モード運転を説明するフローチャートである。
【図４】実施の形態３に係る防犯システムの構成例を示すブロック図である。
【発明を実施するための形態】
【００１９】
〔実施の形態１〕
以下、本発明の実施の形態について、図面を参照して詳細に説明する。図１は、本実施の形態１に係る空気調和機１の概略構成を示すブロック図である。
【００２０】
空気調和機１は、図１に示すように、空調機本体１０と、ユーザが空調機本体１０を操作するためのリモコン２０とを有している。尚、空気調和機１が室内機および室外機から構成されるセパレート型である場合、空調機本体１０は室内機に相当する。リモコン２０は、空調機本体１０に対して有線接続されているものであってもよく、あるいは無線接続されるものであってもよい。
【００２１】
空調機本体１０には、人感センサ１１が備えられている。人感センサ１１は、例えば赤外線によって室内にいる人の存在を検知する。空調機本体１０の通常運転モードでは、人感センサ１１によって検知した人に対して最適な環境を与えるように、自動的に運転制御が行われる。人感センサ１１は、検知範囲の狭い赤外線センサを走査させることで室内全体を検知するものであってもよく、室内全体を同時に検知できるような検知範囲の広い赤外線カメラであってもよい。
【００２２】
本実施の形態１に係る空気調和機１は、上述した通常運転モードでの使用以外に、防犯モードでも人感センサ１１を使用することに特徴を有する。すなわち、防犯モードでは、人感センサ１１によって室内での人の存在が検知された場合、不審者の侵入と見なして防犯対策をとるようになっている。以下、防犯モードの設定／解除方法や、防犯モード設定中の空気調和機１の動作について、図１，２を参照して説明する。図２は、防犯モード中の空気調和機１の動作を示すフローチャートである。
【００２３】
防犯モードの設定／解除を行うため、リモコン２０には防犯モード設定部２１と認証部２２とが設けられている。ここでは、ユーザが操作し易いように防犯モード設定部２１および認証部２２をリモコン２０に備えているが、本発明はこれに限定されるものではなく、防犯モード設定部２１および認証部２２を空調機本体１０に備えていてもよい。
【００２４】
ユーザは、防犯モード設定部２１を操作することにより空気調和機１を防犯モードに設定することができる。また、防犯モードへの設定時には、設定を行うユーザの認証を行うようにするため、空気調和機１には認証部２２が設けられている。認証部２２の一例としては、例えば、所定の暗証番号の入力を行うためのテンキーが挙げられる。但し、認証部２２はこれに限定されるものではなく、種々のセキュリティシステムにおける認証手段として使用されるものであれば、任意の認証手段が本発明においても使用可能である。例えば、認証部２２は、指紋認証によってユーザ認証を行うものであってもよい。
【００２５】
また、防犯モード設定部２１および認証部２２は、設定されている防犯モードを解除する場合にも使用可能としてもよい。また、防犯モードの設定／解除は、空気調和機１が備える防犯モード設定部２１および認証部２２を用いて行うことに限定されるものではなく、予め登録した携帯端末（例えばユーザが所有するスマートフォン）などを使用して遠隔操作で防犯モードの設定／解除を行えるようにすることが望ましい。
【００２６】
空気調和機１において防犯モードが設定されると、図２に示すように、人感センサ１１による監視が開始される（Ｓ１）。防犯モードでの監視中に室内における人の存在が検知された場合（Ｓ２でＹｅｓ）、空気調和機１はスピーカ（図示せず）から警告メッセージを発話する（Ｓ３）。この警告メッセージの発話は、例えば、防犯モード中にユーザやその家族が室内に入って検知された場合に、防犯モードの解除を促し、そのための時間的余裕を与えるためのものである。この場合の警告メッセージとしては、例えば“異常侵入が検知されました。防犯モードを解除する場合はユーザ認証を行ってください。”といった音声メッセージが発話される。
【００２７】
警告メッセージの発話後、所定時間以内にユーザ認証（暗証番号の入力や指紋認証など）があれば（Ｓ４でＹｅｓ）、防犯モードが解除される（Ｓ５）。
【００２８】
一方、警告メッセージの発話後、所定時間以内にユーザ認証が無ければ（Ｓ４でＮｏ）、処理はＳ６へ移行し、空気調和機１は不審者の侵入と見なして防犯対策を発動する。防犯対策を発動した場合、空気調和機１はスピーカ（図示せず）から警告音を発し（Ｓ６）、かつ、予め登録されている所定のメールアドレスに向けて不審者の侵入を知らせるメールを送信する（Ｓ７）。
【００２９】
不審者の侵入を知らせるメール送信は、以下の構成及び手順により行われる。まず、空気調和機１は、Wi-Fi通信などによってインターネットに接続するための通信部２３（図１参照）を備えている。図１の空気調和機１は、通信部２３をリモコン２０に備えているが、本発明はこれに限定されるものではなく、通信部２３を空調機本体１０に備えていてもよい。
【００３０】
空気調和機１において防犯対策が発動された場合（Ｓ４でＮｏ）、通信部２３からインターネットを介して、防犯サービスを提供するサービス会社のサーバに不審者侵入を知らせる信号が送られる。また、この信号には、不審者侵入を検知した空気調和機１を特定するための固有番号が含まれる。
【００３１】
空気調和機１からの不審者侵入を知らせる信号を受け取るサーバには、空気調和機１の固有番号に対応付けて、不審者の侵入を知らせるメールの送信先となるメールアドレスが予め登録されている。上記サーバは、登録されているメールアドレスに不審者の侵入を知らせるメールを送信する。尚、登録するメールアドレスとしては、ユーザが所有する携帯端末、警察、および契約している警備会社のアドレスなどが挙げられる。すなわち、空気調和機１では、不審者の侵入が検知された場合、ユーザへの通知に加えて警察や警備会社への通報も行うことができる。
【００３２】
以上のように、本実施の形態１に係る空気調和機１は、空気調和機１が備える人感センサ１１を、防犯モード設定時において不審者の侵入検知に用いることができる。この場合、不審者の侵入検知用に専用のカメラやセンサを備える必要が無く、設置コストの小さい防犯システムを提供することができる。
【００３３】
尚、上記説明では、警告メッセージの発話後、所定時間以内にユーザ認証が無ければ不審者の侵入と見なして防犯対策を発動するとしている。しかしながら、不審者がユーザ認証を行う代わりに、空気調和機１の電源プラグを抜いて、空気調和機１の動作自体を停止させようとすることも考えられる。
【００３４】
これを防止するためには、空気調和機１の電源プラグにロック機能を設け、防犯モード設定時には電源プラグをロックして、コンセントから電源プラグを抜けない構成とすることができる。
【００３５】
あるいは、空気調和機１に防犯モード用の予備バッテリを搭載し、電源プラグが抜かれた場合には予備バッテリを電源として空気調和機１を動作させるようにしてもよい。この場合、予備バッテリの容量が少ない場合には、図２のＳ７におけるメールによる通報機能を優先して行う構成としてもよい。
【００３６】
〔実施の形態２〕
上記実施の形態１では、不審者の侵入を検知した場合に、防犯対策として警告音の鳴動およびメールによる通報を行う構成を例示したが、実施可能な防犯対策はこれらに限定されるものではない。
【００３７】
例えば、上述した警告メッセージや警告音のみでは、空き巣などの不審者が犯行を止めることなく継続してしまう恐れがある。また、警察や警備会社への通報が行われても、警察官や警備員が即座に犯行現場に到着できるとは限らず、犯行を未然に防げない場合も起こり得る。本実施の形態２では、空き巣などの不審者に対して、犯行の継続を断念させるような防犯対策例を示す。
【００３８】
本実施の形態２では、空気調和機１において防犯対策が発動された場合（図２のＳ４でＮｏ）、警告音の鳴動（Ｓ６）およびメールによる通報（Ｓ７）に加えて、図３に示す防犯モード運転を開始する。
【００３９】
防犯モード運転では、空気調和機１が備える温度センサ（図示せず）で室内温度を検出し、検出した室内温度を所定の閾値（例えば２５℃）と比較する（Ｓ１１）。室内温度が閾値以上であれば空気調和機１の暖房フル運転を開始し（Ｓ１２）、室内温度が閾値未満であれば空気調和機１の冷房フル運転を開始する（Ｓ１３）。すなわち、実施の形態２に係る空気調和機１では、上述のような防犯モード運転を実施することによって室内環境を劣悪なものとし（温暖時にはより温暖とし、寒冷時にはより寒冷として）不審者が室内にとどまることを困難にする。これにより、不審者による犯行を未然に防止することが期待できる。また、このような防犯モード運転は、室内環境を劣悪な環境にする方向の運転であるため、通常の運転よりも短時間で（急激に）室内温度を変化させることができるものである。
【００４０】
上記防犯モード運転は、空気調和機１を暖房フル運転もしくは冷房フル運転するものであるが、ここでのフル運転とは、空気調和機１のサーモスタットをＯＦＦとし、最大出力で空気調和機１を暖房もしくは冷房運転することを意味する。また、上記防犯モード運転中、空気調和機１はリモコン２０などからの操作を受け付けないものとする。
【００４１】
本実施の形態２における防犯モード運転は、室内温度を変化させるための暖房もしくは冷房運転に限定されるものではなく、他の運転制御を組み合わせることも可能である。例えば、空気調和機１が加湿機能を有している場合、暖房フル運転時には同時に加湿運転も行って室内を高温高湿環境としてもよい。
【００４２】
さらには、人感センサ１１によって不審者の位置を検知して、その検知結果に基づいて空気調和機１の空気吹出口におけるルーバの向きを制御し、不審者に温風もしくは冷風が直接当たるように風向制御を行うようにしても良い。これにより、防犯モード運転の実施時において、不審者により劣悪な環境を与えることとなり、不審者が室内にとどまることをさらに困難にすることができる。
【００４３】
尚、空気調和機１を暖房フル運転もしくは冷房フル運転する防犯モード運転は、その消費電力も大きなものとなる。このため、不審者が室内から立ち去った後も防犯モード運転を継続することは、不要な電力消費の増大に繋がる。これを防止するためには、人感センサ１１によって不審者の存在が検知されなくなった時点で、防犯モード運転を終了することが望ましい。
【００４４】
〔実施の形態３〕
上記実施の形態１，２は、空気調和機１を単独で用いて防犯対策を行う場合を例示したが、空気調和機１を家屋内の他の機器とＬＡＮ（Local Area Network）接続することで、より高度な防犯システムを構築し、空気調和機１の基本機能では実現できないような防犯対策を実施することも可能である。本実施の形態３では、このような防犯システム（以下、本防犯システムと称する）について説明する。
【００４５】
図４は、本防犯システムの構成例を示すブロック図である。図４に示す防犯システムは、家庭内の種々の電化製品がＬＡＮにてシステム制御装置３０に接続されている。また、制御装置３０に接続される電化製品の少なくとも一つに、上記実施の形態１，２にて説明した空気調和機１が含まれる。尚、本防犯システムに含まれる空気調和機１の数は、一つとは限らず複数であってもよい。
【００４６】
防犯モード時に空気調和機１が人感センサ１１によって不審者の侵入を検知した場合（警告メッセージの発話後、所定時間内に防犯モードが解除されなかった場合）、空気調和機１からシステム制御装置３０に不審者の侵入が通知される。本防犯システムでは、システム制御装置３０がこの通知を受けた場合、空気調和機１以外の電化製品を用いた防犯対策を講じることができる。以下に、本防犯システムにおける防犯対策の例を挙げる。
【００４７】
第１の例として、扉や窓を自動的にロックする扉／窓ロック装置３１を扉や窓に取り付けておき、不審者の侵入が検知された場合に、これらの扉／窓ロック装置３１を作動させて扉や窓をロックするといった防犯対策が考えられる。この時、扉／窓ロック装置３１は、少なくとも空気調和機１が設置されている部屋の扉や窓に取り付けられていればよい。これにより、不審者が侵入した部屋の扉や窓をロックし、不審者を室内に閉じ込めることができる。
【００４８】
第２の例として、照明機器３２を点滅制御するといった防犯対策が考えられる。この時、点滅制御される照明機器３２は、点滅していることが外部（屋外）から視認しやすい箇所の照明機器３２であることが望ましい。これにより、不審者が侵入した場合に、屋内での異常発生（不審者の侵入）を外部に知らせることができる。
【００４９】
第３の例として、テレビやステレオなどの音響機器３３を大音量で作動させるといった防犯対策が考えられる。この時、音響機器３３が空気調和機１の設置されている部屋のものであれば、音によって不審者による犯行継続を困難とし、不審者による犯行を未然に防止することが期待できる。さらには、音によって屋内での異常発生（不審者の侵入）を外部に知らせることができる。
【００５０】
無論、上に示した防犯対策は例示に過ぎず、本防犯システムにおいて実施可能な防犯対策はこれらに限定されるものではない。例えば、不審者を検出した部屋の加湿器を作動させて、室内を高温高湿とするといった防犯対策なども可能である。
【００５１】
上記説明の防犯システムでは、システム制御装置３０を他の電化製品とは独立して備えているが、本発明はこれに限定されるものではない。すなわち、本防犯システムに含まれる電化製品の何れか（例えば空気調和機１）がシステム制御装置３０の機能を有するものであってもよい。
【００５２】
今回開示した実施形態はすべての点で例示であって、限定的な解釈の根拠となるものではない。従って、本発明の技術的範囲は、上記した実施形態のみによって解釈されるものではなく、特許請求の範囲の記載に基づいて画定される。また、特許請求の範囲と均等の意味及び範囲内でのすべての変更が含まれる。
【符号の説明】
【００５３】
１    空気調和機
１０    空調機本体
１１    人感センサ
２０    リモコン
２１    防犯モード設定部
２２    認証部
２３    通信部
３０    システム制御装置
３１    扉／窓ロック装置
３２    照明機器
３３    音響機器
【図１】
2019143822.tif 000003
【図２】
2019143822.tif 000004
【図３】
2019143822.tif 000005
【図４】
2019143822.tif 000006